(57)【特許請求の範囲】
【請求項１】
バンパ衝突試験機の表面に取り付けられるようになっているエネルギー吸収体であって、
高分子材料からなるシートから熱成形されるエネルギー吸収部品であって、
前記バンパ衝突試験機の前記表面に係合するような形状をもつベース壁と、
車両バンパのプロフィールを再現するような形状をもつ複数の分割された前壁と、
前記ベース壁において前記前壁を支持し、前記ベース壁の前方に延びるエネルギー吸収圧潰箱形部分を前記前壁と共に形成する、熱成形された前後壁とを有し、
前記エネルギー吸収圧潰箱形部分同士が間隔をあけて離れていると共に、前記ベース壁が平坦であり可撓性を有するため、
前記エネルギー吸収部品が長手方向にたわむことができると共に、前記前壁が互いに相対的に動くことができ、
前記エネルギー吸収部品が、前記バンパ衝突試験機によって異なる、前面における曲線状の形状と適合するように曲がることができる
エネルギー吸収部品と、
前記バンパ衝突試験機の前面において前記エネルギー吸収体を保持するホルダと
を備え、
前記ホルダは、前記エネルギー吸収体を受け取るための後方に向いたキャビティを画定するＣ字形状の断面を有し、
前記Ｃ字形状の断面が、上端及び底端を有し、
前記Ｃ字形状の断面の前記上端及び前記底端は、前記バンパ衝突試験機に上面及び底面を係合させるために、後方の水平方向に延びているエネルギー吸収体。
【請求項２】
バンパ衝突試験機の表面に取り付けられるようになっているエネルギー吸収体であって、
高分子材料からなるシートから熱成形されるエネルギー吸収部品であって、
前記バンパ衝突試験機の前記表面に係合するような形状をもつベース壁と、
車両バンパのプロフィールを再現するような形状をもつ前壁と、
前記ベース壁において前記前壁を支持し、前記ベース壁の前方に延びるエネルギー吸収圧潰箱形部分を前記前壁と共に形成する、熱成形された前後壁と
を有するエネルギー吸収部品と、
前記エネルギー吸収部品を前記バンパ衝突試験機に係合させ保持するように構成された、凹部を有するホルダであって、
上面及び底面を前記バンパ衝突試験機の前記表面に係合させるために、前記ホルダの上端及び底端に沿って取付スロットを内部に有するホルダと
を備え、
前記ホルダは、前記エネルギー吸収体を受け取るような形状を有すると共に後方に向いたキャビティを画定するＣ字形状の断面を有し、
前記Ｃ字形状の断面が、上端及び底端を有し、
前記Ｃ字形状の断面の前記上端及び前記底端は、後方の水平方向に延びているエネルギー吸収体。
【請求項３】
前記取付スロットに係合するクイックリリース締結具を含む請求項２に記載のエネルギー吸収体。
【請求項４】
前記締結具が押しピン締結具である請求項３に記載のエネルギー吸収体。
【発明の詳細な説明】
【技術分野】
【０００１】
［背景］
本発明は、振り子形又は静止形バリア等の衝突バリアが、車両バンパの衝突面において、バンパに類似するように変更されている、バンパ衝突試験装置に関する。
【０００２】
本出願は、米国特許法第１１９条（ｅ）項に基づいて、２００４年７月１日に出願された「BUMPER IMPACT-TESTING DEVICE（バンパ衝突試験装置）」と題する米国特許仮出願番号第６０／５８４，５１０号の利益を主張し、この仮出願の内容全体は、本明細書に全面的に援用される。
【０００３】
車両バンパ試験は、米国連邦自動車安全基準及び関連の自動車保険協会の評定及び基準の重要な部分である。近年では、政府の規制当局及び保険業協会が、低速衝突で車両バンパ係合の安定性を、よりうまく測定する試験を必要としている（２００４年３月８日付けの「Important Considerations in the Development of a Test to Promote Stable Bumper Engagement in Low-Speed Crashes（低速衝突において安定的なバンパ係合を促進するための試験の開発における重要な考察）」と題するＳＡＥ技術論文（Technical paper）２００４−０１−１３１９を参照されたい）。その目標は、車両対車両の衝突を（既存の）標準化衝突バリアにおいて、「現実世界での」前端（又は後端）衝突、たとえば一方の車両のバンパが別の車両のバンパの上へ（又は下へ）垂直方向に滑る可能性がある衝突による車両の損傷を、よりうまく再現するような状態で試験することができる試験装置を開発することである。上記のＳＡＥ論文では、さまざまなエネルギー吸収体を標準化バリアの表面に取り付けて、試験を行って試験結果を分析した。しかしながら、さらなる改良が望まれる（ＳＡＥ論文２００４−０１−１３１９の１０ページ第２欄第２４〜２６行「特定形状のバリア及び変形可能な部品のさらなる研究及び開発が必要であり、・・・」を参照されたい。）
【０００４】
重要な点として、ＳＡＥ論文２００４−０１−１３１９に報告されている試験は、標準化バリア上にファシア再現部品を提供していなかった。ファシア再現部品がないことは、第１バンパが第２バンパの上へ（又は下へ）滑る力学に大きな影響を与え、且つエネルギー吸収体の圧壊及び車両損壊の程度の両方に大きな影響を与える可能性がある。同時に、ファシア再現部品が望まれても、試験後に標準化バリアを分解することなく、エネルギー吸収体に対する目視的にアクセスできることが望ましい。また、さまざまなエネルギー吸収体の、衝突バリアへの取り付けは標準化されておらず、さまざまな生産品のエネルギー吸収体の各々での取り付け位置が、それらの後面形状と同様に異なるので、その取り付けは、最初に思ったより困難であろう。取り付け及び後面支持部の両方が、エネルギー吸収体の性能及びその機能に大きく影響する可能性がある。これらのジレンマに対する解決策は、ＳＡＥ論文２００４−０１−１３１９にまったく提案されていなかった。さらに、ＳＡＥ論文は、工具費、材料費及びバンパ試験設備用の保管費用等のコスト問題に取り組んでいなかった。少なくとも１つの企業が、バリア衝突試験機の表面に付着させたハニカムアルミニウム（たとえば、ＣｅｌｌＢｏｎｄ（登録商標）材料）の使用を提案している。しかしながら、この材料は高価であるとともに、或る形状に機械加工又は切断したとき、鋭利なエッジを含む。また一旦付着すると、バリア衝突試験機の、容易に取り除くことができない「永久」部分になる。また、ブラケットの溶接及び／又は衝突バリアの他の永久的な変化は、コスト以外に、ファシア再現が必要ない、又は望ましくない他のバンパ試験に影響を与えるか、又はそれを妨げる可能性があるので、望ましくない。
【０００５】
図示のバリア２１（図２〜図４）は、従来技術の標準化試験機である。それは、振り子形支持部又は静止形アンカーに取り付けられるベース取り付け板２６と、１対の支持壁２７と、空力車両バンパをほぼ表す、垂直方向に平坦且つ水平方向に湾曲した前面板２８とを備える。バリアを使用する手順は既知であり、米国標準試験方法（ＡＳＴＭ）マニュアルに詳細に説明されている。低速の２車両バンパ間衝突中に、一方の車両バンパが別の車両バンパの上方又は下方に「滑る」ことによる損傷を決定する目的で、標準化試験を車両に実施することができるように、車両の前（又は後）バンパをよりうまく再現する構造を提供することによってバリア２１及び他の同様なバリアを改良することが望ましい。同時に、そのような解決策のいずれも、多数の試験（たとえば、年間８０００件超）に対応するためや、試験に使用できる限られた予算や、政府、保険業界、自動車機器製造元及び独立した車両試験施設に対するコスト圧力のため、低コストであるという現実的な必要に対処しなければならない。また、システムは、使用が容易でなければならず、好ましくは接着剤又は永久的取り付け手段を使用すべきでない。
【０００６】
したがって、上記利点を有するとともに、上記問題を解決する修正形バンパ衝突試験装置が望まれる。特に、ファシアのような部材をバリア試験機に組み込むことができるが、内部部品の変形を含めた試験結果の「読み取り」及び目視検査の可能性の妨害又は混乱を生じないとともに、過大なコストや保管の問題を生じない標準化バリア試験システムが望まれる。また、異なるスイープ半径を有するバリアに使用することができる単一の低コストエネルギー吸収体が望まれる。
【０００７】
［本発明の概要］
本発明の一態様では、バンパ衝突試験機の表面に取り付けられるようになっているエネルギー吸収体は、高分子材料からなるシートから熱成形されたエネルギー吸収部品を含んでおり、エネルギー吸収部品は、バンパ衝突試験機の表面に係合するような形状をもつベース壁を有している。複数の前壁が、車両バンパのプロフィールを再現するような形状を有し、熱成形された複数の前後壁がベース壁上において複数の前壁を支持しており、複数の前後壁は複数の前壁と共に複数のエネルギー吸収圧潰箱形部分を形成し、複数のエネルギー吸収圧潰箱形部分は、ベース壁の前方に延びている。エネルギー吸収部品は、対称であり、対向する第１の端部と第２の端部とを有しており、エネルギー吸収部品が、第１の端部におけるコーナー衝突後、衝突試験機上で反転されて裏返され、第２の端部における第２のコーナー衝突のために使用され得るように、第１の端部及び第２の端部は構成されている。
【０００８】
本発明の別の態様では、バンパ衝突試験機の表面に取り付けられるようになっているエネルギー吸収体は、高分子材料からなるシートから熱成形されたエネルギー吸収部品を含んでおり、エネルギー吸収部品は、バンパ衝突試験機の表面に係合するような形状をもつベース壁を有している。複数の前壁が、車両バンパのプロフィールを再現するような形状を有し、熱成形された複数の前後壁がベース壁上において複数の前壁を支持しており、複数の前後壁は複数の前壁と共に複数のエネルギー吸収圧潰箱形部分を形成し、複数のエネルギー吸収圧潰箱形部分は、ベース壁の前方に延びている。複数のエネルギー吸収圧潰箱形部分同士は、十分に離れるようにして間隔をあけられており、ベース壁は、十分に平坦であり可撓性を有する。そのため、エネルギー吸収部品は、長手方向にたわむことができ、バンパ衝突試験機によって異なる、前面における曲線状の形状と適合することができる。
【０００９】
本発明の別の態様では、バンパ衝突試験機の表面に取り付けられるようになっているエネルギー吸収体は、高分子材料からなるシートから熱成形されたエネルギー吸収部品を含んでおり、エネルギー吸収部品は、バンパ衝突試験機の表面に係合するような形状をもつベース壁を有している。複数の前壁が、車両バンパのプロフィールを再現するような形状を有し、熱成形された複数の前後壁がベース壁上において複数の前壁を支持している。複数の前後壁は、複数の前壁と共に複数のエネルギー吸収圧潰箱形部分を形成し、複数のエネルギー吸収圧潰箱形部分は、ベース壁の前方に延びている。ベース壁は、複数の取付フランジを有しており、複数の取付フランジは後方に延び、バンパ衝突試験機の表面の上部及び底部を包み、バンパ衝突試験機上におけるエネルギー吸収体の取り付け及び安定を助けるようになっている。
【００１０】
本発明の別の態様では、バンパ衝突試験機の表面に取り付けられるようになっているエネルギー吸収体は、高分子材料からなるシートから熱成形されたエネルギー吸収部品を含んでおり、エネルギー吸収部品は、バンパ衝突試験機の表面に係合するような形状をもつベース壁を有している。複数の前壁が、車両バンパのプロフィールを再現するような形状を有し、熱成形された複数の前後壁がベース壁上において複数の前壁を支持しており、複数の前後壁は複数の前壁と共に複数のエネルギー吸収圧潰箱形部分を形成し、複数のエネルギー吸収圧潰箱形部分は、ベース壁の前方に延びている。凹部を有するホルダがエネルギー吸収部品をバンパ衝突試験機に係合させ保持するように構成されており、ホルダは、その上面及び底面をバンパ衝突試験機の表面に係合させるために、ホルダの上端及び底端に沿って、取付スロットをその内部に有している。
【００１１】
本発明の目的は、車両バンパシステム用のバリア衝突試験機に取り外し可能に取り付けられるエネルギー吸収体を提供することである。
【００１２】
本発明の目的は、たわんで、異なるスイープ半径を有する車両バンパシステム用のバリア衝突試験機に取り付けることができるエネルギー吸収体を提供することである。
【００１３】
本発明の上記及び他の態様、目的及び特徴は、以下の明細書、添付の特許請求の範囲及び添付図面を検討すれば、当業者によって理解され、且つ評価されるであろう。
【発明を実施するための最良の形態】
【００１４】
［好適な実施形態の詳細な説明］
バンパバリア試験機２０（図１）は、車両バンパの衝撃強さを試験するようになっている標準化バリア２１（図２）（本明細書では「バリア衝突試験機」とも呼ぶ）と、「一般的な」車両バンパのプロフィール及び機能を再現するためにバリア２１に取り付けられた第１バリア表面部品２２及び第２バリア表面部品２３（図１）とを備える。第１表面部品２２（本明細書では「エネルギー吸収体」とも呼ぶ）は、乗用車のバンパシステムのエネルギー吸収体を再現する熱成形エネルギー吸収部品である。一般的に、車両バンパの衝突試験における所望の圧潰強度は、約３４４，７００Ｐａ〜５１７，１００Ｐａ（約５０ｐｓｉ〜７５ｐｓｉ）であり、エネルギー吸収部品２２は、この所望の衝撃強さを達成することができる材料、厚さ及び形状で作製される。第２部品２３は、車両のファシアを再現するように、エネルギー吸収体模擬部品２２及びバリア２１を覆う熱成形ファシア模擬カバー部品である。第２熱成形カバー部品２３は、バリア上の比較的簡単なＣ字形部品であることができると考えられる。任意選択であるが、カバー部品２３は、エネルギー吸収体に対する目視アクセス（すなわち、第１エネルギー吸収部品２２に対する目視アクセスであって、これは試験後の検査を可能にする）を可能にするように形成される。本明細書で使用する「バリア」という表現は、静止式（たとえば壁形バリア）又は可動式（たとえば、振り子形バリア）の任意の試験装置を意味するように、幅広く解釈されると考えられる。
【００１５】
本発明は、シート状の熱可塑性材料、好ましくは高密度ポリエチレン（ＨＤＰＥ）から作製された熱成形部品を用いることによって改善された試験の要望に対処する。熱成形は、高分子シートを加熱し、マンドレル上に引き降ろし、次に冷却してその新しい形を保持する処理である。好都合にも、熱成形部品は、低コストであるとともに短い調達時間で迅速に作製されることができる工具から形成されることができる。したがって、部品２２及び２３は、それらが少量且つ多種多様の異なる形を有するにもかかわらず、迅速に低コストで作製されることができる。ツーリング(tooling)を変化させることなく、圧潰負荷を変更することも可能である。より高い圧潰負荷に対しては、より厚いシートを使用する。より低い圧潰負荷に対しては、より薄いシートを使用する。また、被試験部材２２及び２３は容易にリサイクルされて、新しい部品にされることができる。
【００１６】
図示のエネルギー吸収体模擬熱成形部品２２（図１）は、バリア２１の湾曲前板２８に当接するベース壁３０を有する。部品２２の特定の要件しだいで、圧潰箱形部分のすべてが同一又は同様の寸法、形状及び高さであってもよいと考えられる（そして、圧潰箱形部分は要望に合わせ多様であってもよいと考えられる）。特に、後述する部品２２Ａ（図６）を参照されたい。部品２２では、図示の圧潰箱形部分３１Ａ〜３１Ｄの各々が、中空の三次元形状を形成する前壁、上壁、底壁及び側壁を有する。圧潰箱形部分３１Ａ〜３１Ｄは、バンパシステムの望ましい三次元曲線状前部形状（本明細書では「スイープ曲線」又は「長手方向湾曲」とも呼ぶ）を与え、且つそれらが再現しようとする領域強さ及び力−たわみ吸収曲線を与えるように配置される。図示の部品２２は、ビーム２１の垂直寸法に等しい高さに制限され、さらに長さが、ビーム２１の幅寸法に等しい幅に制限される。しかしながら、再現中である特定の「一般的な」バンパシステムしだいで、エネルギー吸収体模擬熱成形部品２２を垂直方向及び長手方向にバリア２１より大きく、又は小さくすることができると考えられる。部品２２は、バリア２１に取り付けるためのフランジを備えることができる、或いは、後述するように、第２部品２３によってバリア２１の表面に当接した状態に保持されることができる。代替として、一体型押しピン締結具（時には「クリスマスツリー形締結具」と呼ばれる）又は合わせ押しピン締結具３８'（図１）（本体と、穴に挿入した後に締結具の脚部を広げるためのリベット様の押しピン芯とを有する）によって、エネルギー吸収部品２２及びカバー部品２３をバリア衝突試験機に保持することができる。特に、締結具は、部品２２及び／又は２３の上部又は底部内へ垂直方向に延出する（図１）ことができる、或いは、位置３８Ａ（図７Ａ）等で部品２２の前壁を貫通することができる。そのような締結具は当該技術分野では既知であり、市販されている。締結具は、部品２２及び／又は２３の穴又はスロット（又はスリット）を貫通して、バリア衝突試験機の表面又は他の面の穴に延在する。締結具は、着脱が容易であるが、確実な保持を行う。
【００１７】
ファシア模擬熱成形部品２３（図１）は、エネルギー吸収体模擬熱成形部品２２を覆い、且つそれをバリア２１の表面に当接した状態で保持するような形状になっている。具体的に言うと、ファシア模擬熱成形部品２３は、バリア上に使用されている「一般的な」バンパシステムの前部プロフィールを再現するように形成された前壁３５を有し、さらに、バリア２１上の上部底部取り付け位置３８及び底部取り付け位置３９に連結されるように後方に延出した上壁３６及び底壁３７を有する。衝突試験中に滑ることができる（それによって締結具又は吸収体材料のせん断を防止する）ように、取り付け位置３８及び３９をスロットにすることができる、或いは、より確実且つ固定的な保持を行うために、位置３８及び３９を穴にすることができると考えられる。図示の部品２３は、比較的矩形の断面を有するとともに、わずかに湾曲した長手形状を有する。しかし、その形状は、より尖った中央「ノーズ」又はより丸みがついた中央「ノーズ」（垂直方向又は水平方向）を有するバンパシステムを含めて、バンパシステムのプロフィールを再現する任意の形状であることができることに注意されたい。
【００１８】
好ましくは、エネルギー吸収体模擬熱成形部品２２の前面は、ファシア模擬熱成形部品２３の後面に似ている。そのため、２つの部品がはめ合い係合し、それにより、再現中の「一般的な」バンパシステムに似たエネルギー吸収特性を、衝突中のエネルギー吸収体模擬熱成形部品２２上でのファシア模擬熱成形部品２３の垂直方向滑りを含めて、与えることができる。エネルギー吸収体２２及び部品２３は、それらの使用を容易にするために、さまざまな方法でバリア２１に簡単且つ迅速に取り付けられることができる。たとえば、ピン形締結具（一体形又は合わせ形）をエネルギー吸収部品２２及び／又はカバー部品２３の穴に挿通して、バリア衝突試験機の穴に差し込むことができる。また、エネルギー吸収部品２２上へのカバー部品２３のはめ合い係合は、保持を行うために摩擦嵌合する表面を有することができる。コーナー衝突試験を行う場合、第１試験の後、エネルギー吸収体２２（おそらくは部品２３も）をひっくりかえして端部同士を入れ換えて、それによって第２コーナー衝突試験用に再利用することができる。特に、本システムでは、部品２２及び２３を使用するためにバリア２１にブラケット及びマウントを追加する必要がまったくなく、そのため、本発明の衝突バリア２１をすべての既存の試験手順に使用し続けることができる。
【００１９】
図５及び図６は、別の可撓性エネルギー吸収体模擬部品２２Ａ（本明細書では「エネルギー吸収体」とも呼ぶ）の上面図及び斜視図である。このエネルギー吸収体２２Ａは、部品２２に似ており、また部品２２のように、たわんで、異なるスイープ半径を有するバリア衝突試験機に取り付けられるようになっている。（図１Ｂを参照されたい。）エネルギー吸収部品２２Ａは長手方向にたわむことができるが、それが上下縁部に沿って短い縁部フランジ４７Ａを有することに注意されたい。フランジ４７Ａは、バリア試験機２１Ａの表面上でのエネルギー吸収部品２２Ａの安定化を助ける。必要ならば、フランジ４７Ａにノッチを付け、それにより、長手方向屈曲時、又は部品２２Ａの「スイープ半径の変更」時の座屈応力を減少させることができる。「スイープ半径」という表現は、上面図（図６）で最もわかりやすいように、バンパの長手方向湾曲又は空力形状のことを言う。
【００２０】
図７〜図９は、図５のエネルギー吸収体の圧潰箱形部分の上面図、底面図及び側面図であって、圧潰箱形部分３１Ｅの箱形の性質、及び結果として得られるそれらのエネルギー吸収能力を示す。各圧潰箱形部分３１Ｅは、所望のレベルの耐衝撃性を与え、より具体的には、所望の力−たわみ曲線を与えるようになっている。たとえば、一形式のよく望まれる衝撃吸収プロフィールが、衝突ストロークの初期部分中に急激にほぼ高エネルギー吸収レベルまで（スパイクなしで）上昇し、衝突シーケンスのストローク全体にわたってそのエネルギー吸収レベルを維持する、力−たわみ曲線で実現される。別の所望の力−たわみ曲線は、歩行者の安全を向上させる（すなわち、圧潰に対する初期抵抗を低くすることによって歩行者の負傷を軽減する）ために、より低い初期エネルギー吸収部分を有してもよい。単一の圧潰箱形部分３１Ｅ（「ポッド」とも呼ぶ）の一般的な力−たわみ曲線は、約３４４，７００Ｐａ〜５１７，１００Ｐａ（約５０ｐｓｉ〜７５ｐｓｉ）である。図示のエネルギー吸収部品２１では、水平二列の圧潰箱形部分３１Ｅが設けられている。圧潰箱形部分３１Ｅの壁は、熱成形処理を容易にするのに望ましい任意の抜き勾配を有することができるが、好ましくはそれらは予想衝突方向と比較的一直線に並ぶように保持される。図８に示すように、上側及び下側圧潰箱形部分３１Ｅ（及び／又は隣接の圧潰箱形部分）を構造体４５Ａで一体状に連結することができる。圧潰箱形部分３１Ｅの壁に波形４６Ａが形成されている。波形は、予想衝突方向に平行に延びる直線チャネル及びリッジを形成し、且つ予想衝突方向に対して垂直方向に波形曲線を形成し、それにより、それらは予想衝突方向において壁を補剛し、且つ安定させる。
【００２１】
図１１は、図５に示されたエネルギー吸収体２２Ａであって、バリア衝突試験機２１の前面上に位置付けられているエネルギー吸収体２２Ａの上面図である。図示の圧潰箱形部分３１Ａは異なる高さを有し、それにより、エネルギー吸収体２２Ａの前部が、それを取り付けるバンパ衝突試験機の前部より大きいスイープ（すなわち、小さいスイープ半径）を画定している。（図１１の仮想線は、圧潰箱形部分の高さが均一であるエネルギー吸収体を使用した場合の試験装置の前面を表す。）破線は、バンパ衝突試験機にエネルギー吸収体を保持するための、エネルギー吸収体用のホルダを表す。図示のファシア模擬部品２３Ａ（図１）は、バリア試験機２１に取り付けるために取り付けピンを受け取るためのスロット３８を有しており、そして、ファシア模擬部品２３Ａ（図１）が、或る程度の長手方向可撓性を与えるためにその上壁及び底壁内に設けられたノッチを有することもできると考えられる。
【００２２】
本発明の概念から逸脱しない限り、上記構造体に変化及び修正を加えることができることを理解されるべきであり、また、そのような概念は、添付の特許請求の範囲が別段にその文言で否であることを明記しない限り、これらの特許請求の範囲に包含されるものとすることを理解されるべきである。
【図面の簡単な説明】
【００２３】
【図１】標準化バリアの表面に取り付けられて係合している、第１熱成形エネルギー吸収体模擬部品及び第２熱成形ファシア模擬カバー部品を備えるバンパバリア衝突試験装置の斜視図である。
【図２】上記の従来型標準化バリアの上面図である。
【図３】上記の従来型標準化バリアの正面図である。
【図４】上記の従来型標準化バリアの端面図である。
【図５】たわんで、異なるスイープ半径を有するバリア衝突試験機に取り付けられるようになっている可撓性エネルギー吸収体部品の正面図である。
【図６】たわんで、異なるスイープ半径を有するバリア衝突試験機に取り付けられるようにした可撓性エネルギー吸収体部品の斜視図である。
【図７】図５のエネルギー吸収体部品の圧潰箱形部分の上面図である。
【図７Ａ】端部位置の圧潰箱形部分の上面図である。
【図８】図５のエネルギー吸収体部品の圧潰箱形部分の底面図である。
【図９】図５のエネルギー吸収体部品の圧潰箱形部分の側面図である。
【図１０】バリア衝突試験機の前面上に位置付けられた、図５に示されているエネルギー吸収体部品の上面図である。
【図１１】バリア衝突試験機の前面上に位置付けられた、図５に示されているエネルギー吸収体部品の上面図であって、エネルギー吸収体部品をよりわかりやすく示すために、ファシア模擬カバー部品を取り除いており、またエネルギー吸収体部品が異なる前部形状を有することができることを示す（破線及び仮想線を比較されたい）図である。
【図１】
0004798667.tif 000002
【図２】
0004798667.tif 000003
【図３】
0004798667.tif 000004
【図４】
0004798667.tif 000005
【図５】
0004798667.tif 000006
【図６】
0004798667.tif 000007
【図７】
0004798667.tif 000008
【図７Ａ】
0004798667.tif 000009
【図８】
0004798667.tif 000010
【図９】
0004798667.tif 000011
【図１０】
0004798667.tif 000012
【図１１】
0004798667.tif 000013